(57)【特許請求の範囲】
【請求項１】
天板を支持する左右１対の側脚におけるいずれか一方の前端部に、左右方向を向く垂直の前面閉塞板の外側端部を取付け、前記天板の下方の側端部に、前面と一方の側面とが、前記前面閉塞板と一方の側脚とにより閉塞された物品収容空間を設けたことを特徴とするデスク装置。
【請求項２】
前面閉塞板の下端部に、左右の側脚の後端部間に設けた幕板の前面、もしくは側脚の内側面に連結された水平をなす物品載置板の前端部を取付けてなる請求項１記載のデスク装置。
【請求項３】
左右の側脚における後部側の下端部同士を、水平をなす脚連結板により連結し、この脚連結板の前端に、物品載置板の後端を、それらの上面が同一面をなすようにして取付けてなる請求項２記載のデスク装置。
【請求項４】
前面閉塞板を、左右の側脚に選択的に取付けうるようにしてなる請求項１〜３のいずれかに記載のデスク装置。
【請求項５】
天板を高さ調節可能に取付けてなるものにおいて、前面閉塞板を、天板の前面と近接する前方に位置するように取付けた請求項１〜４のいずれかに記載のデスク装置。
【請求項６】
天板の下面の左右両側部に、前面閉塞板より左右幅の大きい引出しを選択的に収容可能な引出し収容空間を設け、前面閉塞板が取付けられていない側の引出し収容空間に、引出しを収容し、かつ前面閉塞板を取付けられている側の引出し収容空間の前面開口部を、着脱自在な閉塞板により閉塞してなる請求項１〜５のいずれかに記載のデスク装置。
【請求項７】
一方の側脚の上端と、左右の側脚の後端部間に設けた幕板の側端部の上端と、前面閉塞板の上端とに、内側方に開口する上部収納棚の下端を載置して取付けてなる請求項１〜６のいずれかに記載のデスク装置。
【請求項８】
前面閉塞板の前面に、内側方に開口するサイド収納棚を取付けてなる請求項１〜６のいずれかに記載のデスク装置。
【請求項９】
サイド収納棚を、上部収納棚と同一形状としてなる請求項８記載のデスク装置。
【発明の詳細な説明】
【技術分野】
【０００１】
本発明は、学習用等に適したデスク装置に関する。
【背景技術】
【０００２】
学習用等のデスクは、書籍等の収納棚を、天板の後部上面に固定的の設けたものが多かったが、最近では、使用者の成長やデスクの使用環境の変化などに対応して、収納棚の一部もしくは全部を取外し可能とし、収納棚を取外して天板の上面を広く使用したり、取外した収納棚を、デスクと近接する側方の床面等に設置して使用したりしうるようにしたデスクが提案されている(例えば特許文献１〜３参照)。
【特許文献１】特開平７−２７５０４８号公報
【特許文献２】特開２００１−３１４２４０号公報
【特許文献３】特開２００５−１０２８７６号公報
【発明の開示】
【発明が解決しようとする課題】
【０００３】
上記特許文献１〜３に記載されているデスクのように、天板面を広く使用する際に、天板の上面より取外した収納棚を、デスクの側方の床面に設置すると、収納棚がデスクの側方に離れるため、それに収納した書籍等の出し入れが不便となり、デスクの使い勝手が悪くなる。
また、デスクの側方に、収納棚の設置スペースがないときには、これを、別の場所に設置したり、廃棄したりする必要があり、物品収納部がデスクよりなくなって、その使い勝手がさらに悪くなるとともに、収納棚の廃棄処理にも手間や費用ががかかる。
【０００４】
本発明は、上記問題点に鑑みてなされたもので、天板の一側部下方に大きな物品収納空間を確保し、天板の上面を広く使用しうるようにすることにより、使い勝手をよくし、さらに、天板面を小さくしたり、デスク全体の左右寸法を大としたりすることなく、収納棚等のオプション部材も取付けうるようにしたデスク装置を提供することを目的としている。
【課題を解決するための手段】
【０００５】
本発明によると、上記課題は、次のようにして解決される。
（１）天板を支持する左右１対の側脚におけるいずれか一方の前端部に、左右方向を向く垂直の前面閉塞板の外側端部を取付け、前記天板の下方の側端部に、前面と一方の側面とが、前記前面閉塞板と一方の側脚とにより閉塞された物品収容空間を設ける。
【０００６】
（２）上記(１)項において、前面閉塞板の下端部に、左右の側脚の後端部間に設けた幕板の前面、もしくは側脚の内側面に連結された水平をなす物品載置板の前端部を取付ける。
【０００７】
（３）上記(２)項において、左右の側脚における後部側の下端部同士を、水平をなす脚連結板により連結し、この脚連結板の前端に、物品載置板の後端を、それらの上面が同一面をなすようにして取付ける。
【０００８】
（４）上記(１)〜(３)項のいずれかにおいて、前面閉塞板を、左右の側脚に選択的に取付けうるようにする。
【０００９】
（５）上記(１)〜(４)項のいずれかにおいて、天板を高さ調節可能に取付けてなるものにおいて、前面閉塞板を、天板の前面と近接する前方に位置するように取付ける。
【００１０】
（６）上記(１)〜(５)項のいずれかにおいて、天板の下面の左右両側部に、前面閉塞板より左右幅の大きい引出しを選択的に収容可能な引出し収容空間を設け、前面閉塞板が取付けられていない側の引出し収容空間に、引出しを収容し、かつ前面閉塞板を取付けられている側の引出し収容空間の前面開口部を、着脱自在な閉塞板により閉塞する。
【００１１】
（７）上記(１)〜(６)項のいずれかにおいて、一方の側脚の上端と、左右の側脚の後端部間に設けた幕板の側端部の上端と、前面閉塞板の上端とに、内側方に開口する上部収納棚の下端を載置して取付ける。
【００１２】
（８）上記(１)〜(６)項のいずれかおいて、前面閉塞板の前面に、内側方に開口するサイド収納棚を取付ける。
【００１３】
（９)上記(８)項において、サイド収納棚を、上部収納棚と同一形状とする。
【発明の効果】
【００１４】
請求項１記載の発明によれば、天板の下方の側端部に、物品収容空間を設けたことにより、天板の後端部等の上面に収納棚を設ける必要がなく、天板の上面全体を広い作業面として有効に使用しうるため、デスク装置の使い勝手がよくなる。
また、収納棚を取外して天板面を広くしたり、取外した収納棚を別の場所に設置したり、廃棄したりする必要もなくなる。
さらに、物品収容空間は、デスク装置使用者のすぐ側方に位置するので、それへの物品の出し入れが容易となる。
物品収容空間に収容した物品は、前面閉塞板により目隠しされるので、前方からの見栄えがよくなる。
【００１５】
請求項２記載の発明によれば、前面閉塞板の取付強度が大となるとともに、物品載置板に種々の物品を載置することができる。
【００１６】
請求項３記載の発明によれば、物品載置板を、脚連結板と同一面をなすように取付けたことにより、それらを、段差のない連続した物品載置面として広く使用することができる。
【００１７】
請求項４記載の発明によれば、物品収容空間を、デスク装置の使用環境等に応じて、左右いずれの側にも選択的に設けることができるので、使い勝手が向上する。
【００１８】
請求項５記載の発明によれば、天板の高さ調節を、前面閉塞板を取付けたままの状態で、支障なく行なうことができる。
【００１９】
請求項６記載の発明によれば、引出しを、左右の引出し収容空間に、選択的に差し替えて収容しうるので、前面閉塞板を左右いずれの側に取付けても、前面閉塞板が、引出しの出し入れの妨げとなることはない。
また、前面閉塞板が取付けられた側の引出し収容空間が、前面閉塞板により閉塞し切れなくても、その前面開口部は、閉塞板により閉塞されているので、前方からの見栄えが悪くなることはない。
【００２０】
請求項７記載の発明によれば、前面閉塞板を利用して、上部収納棚を安定よく支持することができる。
また、天板の上面の面積を狭めることなく、デスク装置の側端部に、上方と前後方向を向くとともに、内側方に開口する物品収容部を形成することができ、天板の下方の物品収容空間と併用することにより、多くの物品を収容することができる。
さらに、天板を高さ調節可能に取付けたとしても、上部収納棚を取付けた状態のまま、天板の高さを調節することができる。
【００２１】
請求項８記載の発明によれば、前面閉塞板を利用して、その前面に前方を向くサイド収納棚を容易に取付けることができる。
また、天板の上面の面積を狭めることなく、デスク装置の一側部に、前方を向くとともに、内側方に開口する物品収容部を形成することができ、天板の下方の物品収容部と併用することにより、多くの物品を収容することができる。
さらに、サイド収納棚は、デスク使用者の側方に近接するので、使い勝手がよい。
デスク装置全体が左右方向に大きくならないので、設置スペースも小さくて済む。
【００２２】
請求項９記載の発明によれば、一つの収納棚を、デスク装置の使用環境等に応じて、サイド収納棚と上部収納棚とに選択して取付けることができるので、それらを個別に製作して在庫する必要がなく、経済的となる。
【発明を実施するための最良の形態】
【００２３】
以下、本発明の実施形態を、図面に基づいて説明する。
図１は、本発明のデスク装置における第１の実施形態の斜視図、図２は、同じく分解斜視図である。
【００２４】
デスク装置１は、前方(以下、図１の斜め左手前を前として説明する)寄りに方形孔２が穿設された方形平板状の左右１対の側脚３、３と、両側脚３における後部側の下端部の対向面同士を連結している水平な脚連結板４と、左右両端が両側脚３の後端部の対向面に、かつ下端部の前面が脚連結板４の後端にそれぞれ取付けられた幕板５と、この幕板５の前面と左右の側脚３の対向面により支持された、前後寸法が側脚３のそれとほぼ等しい天板６とを備えている。
【００２５】
脚連結板４と左右の側脚３との連結は、側脚３の外側方より挿入したボルトを、脚連結板４の側端に設けためねじ孔に螺合するなどして行うことができるが、本実施形態では、図３に拡大して示すようなノックダウン金具７を用いて連結している。
【００２６】
ノックダウン金具７は、連結ピン８と、円柱状の連結駒９とからなる公知のもので、連結ピン８の一端部は雄ねじ部８aとなっており、また他端部に連設された小径軸部８bの先端には、拡径頭部８cが一体的に形成されている。
連結駒９には、上記拡径頭部８cが係合される係合溝９aと、小径軸部８bが摺動可能に嵌合される溝幅の小さな円弧状のガイド溝９bとが、互いに連通するようにして円周方向に向かって形成されている。また、上端面には、ドライバ等により回動させうる十字溝１０が形成されている。
【００２７】
側脚３と脚連結板４とを連結するには、まず側脚３の下端部の内側面に設けためねじ孔１１に、連結ピン８の雄ねじ部８aを螺合させて取付けたのち、脚連結板４の側端部に設けた上方に開口する有底孔１２に、連結駒９を嵌合する。
【００２８】
ついで、脚連結板４の側端部に、有底孔１２と連通するようにして設けられた左右方向を向くピン挿入孔１３に、連結ピン８を挿入し、その小径軸部８bと拡径頭部８cを、連結駒９のガイド溝９bと係合溝９aとに嵌合したのち、連結駒９を、その上面の十字溝１０に差し込んだドライバ等により回動させる。これにより、連結ピン８と連結駒９とが互いに係合して抜け止めされ、側脚３と脚連結板４とが連結される。
【００２９】
側脚３と幕板５、及び脚連結板４と幕板５においても、上記と同じノックダウン金具７を用いて取付けられている。
すなわち、側脚３と幕板５とを連結するには、図２に示すように、側脚３の後端部の内側面に、上下複数の連結ピン８を取付けるとともに、それと対応する幕板５の側端部に、連結駒９が嵌合される前方に開口する有底孔１２と、連結ピン８が挿入される側方に開口するピン挿入孔(図示略)とを設け、有底孔１２に嵌合した連結駒９と、ピン挿入孔に挿入した連結ピン８とを、上述した要領で互いに係合させればよい。
【００３０】
また、脚連結板４と幕板５とを連結するには、幕板５の下端部の前面に、左右複数の連結ピン８を取付けるとともに、それと対応する脚連結板４の後端部に、上記と同様、連結駒９が嵌合される上方に開口する有底孔１２と、連結ピン８が挿入される後方に開口するピン挿入孔(図示略)とを設け、有底孔１２に嵌合した連結駒９と、ピン挿入孔に挿入した連結ピン８とを、上述した要領で互いに係合させればよい。
【００３１】
天板６の中央部の下面には、この下面を左右に仕切る仕切板１４が取付けられ、また、同じく両側端部と後端部の下面には、それぞれ、仕切板１４の上下寸法とほぼ等しい上下寸法の側面板１５、１５と後面板(図示略)の上端が固着されている。
【００３２】
仕切板１４と左右の側面板１５との対向面間は、左右寸法の等しい引出し収容空間１６、１６となっており、右方の引出し収容空間１６には、引出し１７が、仕切板４と側面板１５との対向面の下端部に突設した左右１対の支持片(図示略)により支持されて、前方に引き出し可能に収容されている。左方の引出し挿入空間１６の前面開口部は、取外し可能な閉塞板１８により目隠しされている。
引出し１７を、左方の引出し収容空間１６に収容する際には、閉塞板１８を取外して、右方の引出し収容空間１６の前面開口部を閉塞することができる。
【００３３】
天板６は、左右の側面板１５の前後両端部と、後面板の左右とに設けためねじ孔１９、１９(右方の側面板と後面板については図示略)に、左右の側脚３の前後両端部と幕板５の左右に設けた上下複数の取付孔２０のいずれかを選択して挿入した取付けねじ２１を、外方より螺合することにより、両側脚３と幕板５に高さ調節可能に取付けられている。天板６の取付後において、各取付孔２０の開口部を、キャップ等により目立たないように塞いでもよい。
【００３４】
左方の側脚３の前端面には、両側脚３と幕板５と天板６とにより形成される空間の左側端部の前面を塞ぐ前面閉塞板２２が、次のようにして取付けられている。
前面閉塞板２２は、その上下寸法が側脚３のそれとほぼ等しい縦長長方形をなし、左端部に穿設された上下複数の取付孔２３に前方より挿入した取付けねじ２４を、側脚３の前端面に設けた上下複数のめねじ孔２５に螺合することにより、天板６の前面と近接するとともに、下端が床面と接するようにして取付けられている。
【００３５】
前面閉塞板２２の下端と脚連結板４の左端部との対向面間には、物品載置板２６が、脚連結板４の上面と同一面をなすように取付けられている。この物品載置板２６は、上記と同じノックダウン金具７を用いて取付けられている。
【００３６】
すなわち、前面閉塞板２２の下端部の後面と物品載置板２６の後端に、左右複数の連結ピン８、８(前面閉塞板については図示略)を取付けるとともに、物品載置板２６と脚連結板４との前端部に、上方に開口する有底孔１２と、これに連通する前方に開口するピン挿入孔１３をそれぞれ設け、有底孔１２に嵌合した連結駒(図示略)を回転させて、ピン挿入孔１３に挿入した連結ピン８に係合させることにより、前面閉塞板２２と脚連結板４との対向面間に、物品載置板２６を取付けることができる。
【００３７】
右方の側脚３の前端面と、脚連結板４の右端側の前端部とには、前面閉塞板２２を１８０°回転させて、左右勝手違いに取付けうるように、めねじ孔２５と、ノックダウン金具７取付用の有底孔１２及びピン挿入孔１３とが、それぞれ予備的に設けられている。なお、前面閉塞板２２を、右側に勝手違いに取付ける際には、引出し１７を左方の引出し挿入空間１６に入れ替えて、右方の引出し挿入空間１６を、閉塞板１８により目隠しすればよい。
２７は、天板６の後端部等に載置して使用される可動棚である。
【００３８】
以上説明したように、上記第１の実施形態のデスク装置においては、左方の側脚３の前端面に、前面閉塞板２２の側端部を取付けるとともに、前面閉塞板２２と脚連結板４との対向面間に、物品載置板２６を取付けたことにより、図１に示すように、デスク装置１内の側端部、すなわち天板６の下方の側端部に、側脚３、脚連結板４、幕板５、前面閉塞板２２及び物品載置板２６により囲まれた、内側方(右側方)に開口する大きな物品収容空間Ｓが形成される。
【００３９】
そのため、天板６の後端部等の上面に、収納棚を設ける必要がなく、天板６の上面全体を、広い作業面として有効に使用することができ、使い勝手がよくなる。
【００４０】
また、物品収容空間Ｓは、デスク装置使用者のすぐ側方に形成されているので、それへの物品の出し入れも容易となる。
さらに、物品収容空間Ｓ内に収容した物品は、前面閉塞板２２により目隠しされるので、前方からの見栄えがよくなる。
【００４１】
前面閉塞板２２は、天板６の前面と近接する前方に位置し、これには固定されていないため、天板６の高さ調節を、前面閉塞板２２を取付けたままの状態で、支障なく行うことができる。
物品載置板２６は、脚連結板４と同一面をなすように取付けられているので、それらを、段差のない連続した物品載置面として広く使用することができる。
【００４２】
なお、可動棚２７を、物品収容空間Ｓ内に収納可能な大きさとしてこの中に入れて使用したり、棚板を物品収容空間Ｓ内に高さ調節可能に取付けたりしてもよく、このようにすると、書籍等を整然と並べて収納することができる。
【００４３】
図４は、本発明のデスク装置の第２の実施形態を示す。
この第２の実施形態のデスク装置２８は、上記第１の実施形態のデスク装置１における左方の側脚３と、幕板５の左端部と、前面閉塞板２２との上端に、右側方に開口する上部収納棚２９を取付けたものである。
デスク装置１の物品収容空間Ｓには、可動棚２７を収容してある。
【００４４】
上部収納棚２９は、左右寸法が前面閉塞板２２のそれとほぼ等しい前板３０及び後板３１と、前後寸法が側脚３の前後寸法とほぼ等しい側板３２とを、平面視内向きコ字状をなすように連結するとともに、前板３０と後板３１との対向面における上部寄りに、上下２枚の棚板３３、３３を取付けて構成され、かつ前板３０の前面と後板３１の後面とが、それぞれ、前面閉塞板２２の前面、及び幕板５の後面と同一面に整合するようにして組み立てられている。
【００４５】
上部収納棚２９の取付けは、上記と同様のノックダウン金具７を用いて行うことができる。
すなわち、幕板５における左端部の上端と、前面閉塞板２２の上端とに、左右２本ずつの連結ピン８、８を、上向きに取付けるとともに、上棚２９における前板３０と後板３１との下端部に、対向面方向に開口する左右２個ずつの有底孔１２、１２(前板については図示略)と、これに連通する下方に開口するピン挿入孔(図示略)とを設け、各連結ピン８にピン挿入孔を嵌合させるようにして、側脚３と幕板５と前面閉塞板２２との上端に上棚２９を載置したのち、各有底孔１２に嵌合した連結駒(図示略)を回転させて、連結ピン８と係合させればよい。
【００４６】
この第２の実施形態のデスク装置２８は、右側方に開口する上部収納棚２９における前板３０と後板３１と側板３２の下端を、物品収容空間Ｓを有する第１の実施形態のデスク装置１における側脚３、幕板５、及び前面閉塞板２２の上端載置して取付けたことにより、天板６の上面の面積を狭めることなく、デスク装置２８の側端部に、上下方向に長い物品収容部を確保しうるとともに、上部収納棚２９を取付けた状態のままで、天板６の高さを調節することができる。
【００４７】
また、上部収納棚２９は、天板６の側端部上方に位置しているので、物品の出し入れが容易であり、使い勝手がよい。
さらに、上部収納棚２９は、その前板３０と後板３１と側板３２とが、平面視コ字状をなすように支持されているので、安定性がよい。
【００４８】
図５は、本発明のデスク装置の第３の実施形態を示す。
第３の実施形態のデスク装置３４は、上記第１の実施形態のデスク装置１における前面閉塞板２２の前面に、その上下及び左右寸法とほぼ等しい寸法の前板３５と、後板３６と、側板３７とを有し、かつ前板３５と後板３６との対向面に上下３枚の棚板３８が取付けられた、右側方に開口するサイド収納棚３９を取付けたものである。
【００４９】
すなわち、後板３６に穿設された上下複数の取付孔４０に前方より挿入した取付けねじ４１を、前面閉塞板２２に設けためねじ孔４２に螺合することにより、サイド収納棚３９を、前面閉塞板２２の前面に取外し可能に取付けてある。
【００５０】
この実施形態のデスク装置３４においても、天板６の上面の面積を狭めることなく、デスク装置３４の一側部に、前後方向に長い物品収容部を確保することができるとともに、物品収容部はデスク使用者の側方に近接するので、使い勝手がよい。
また、デスク装置３４全体が左右方向に大きくならないので、設置スペースも小さくて済む。
【００５１】
なお、サイド収納棚３９を、上記第２の実施形態の上部収納棚２９と同形としてもよく、このようにすると、一つの収納棚を、デスク装置の使用環境等に応じて、サイド収納棚と上部収納棚とに選択して使用することができる。
【００５２】
また、前面閉塞板２２と物品載置板２６を右側に取付ければ、上部収納棚２９及びサイド収納棚３９を、右方に勝手違いに設けることができる。
【００５３】
上記実施形態では、前面閉塞板２２の下端部に、物品載置板２６を取付けているが、この物品載置板２６を省略して前面閉塞板２２のみとし、天板６の下方の側端部に、前面と一方の側面とが、前面閉塞板２２と一方の側脚３とにより閉塞された物品収容空間Ｓを形成するようにしてもよい。
【００５４】
また、上記実施形態では、物品載置板２６の後端を、脚連結板４の前端に固定しているが、物品載置板２６の外側端を、側脚３の下端部の内側面に固定してもよい。
【００５５】
さらに、脚連結板４を省略した際には、物品載置板２６の後端を、幕板５の前面に固定してもよい。
側脚３に設けた方形孔２は、省略することもある。
【図面の簡単な説明】
【００５６】
【図１】本発明のデスク装置の第１の実施形態を示す斜視図である。
【図２】同じく、分解斜視図である。
【図３】同じく、側脚と脚連結板との連結部の拡大縦断面図である。
【図４】本発明のデスク装置の第２の実施形態を示す斜視図である。
【図５】同じく、デスク装置の第３の実施形態を示す斜視図である。
【符号の説明】
【００５７】
１    デスク装置
２    方形孔
３    側脚
４    脚連結板
５    幕板
６    天板
７    ノックダウン金具
８    連結ピン
８a   雄ねじ部
８b   小径軸部
８c   拡径頭部
９    連結駒
９a   係合溝
９b   ガイド溝
１０  十字溝
１１  めねじ孔
１２  有底孔
１３  ピン挿入孔
１４  仕切板
１５  側面板
１６  引出し収容空間
１７  引出し
１８  閉塞板
１９  めねじ孔
２０  取付孔
２１  取付けねじ
２２  前面閉塞板
２３  取付孔
２４  取付けねじ
２５  めねじ孔
２６  物品載置板
２７  可動棚
２８  デスク装置
２９  上部収納棚
３０  前板
３１  後板
３２  側板
３３  棚板
３４  デスク装置
３５  前板
３６  後板
３７  側板
３８  棚板
３９  サイド収納棚
４０  取付孔
４１  取付けねじ
４２  めねじ孔
Ｓ    物品収容空間
【図１】
0004943252.tif 000002
【図２】
0004943252.tif 000003
【図３】
0004943252.tif 000004
【図４】
0004943252.tif 000005
【図５】
0004943252.tif 000006